(57)【要約】【課題】  一定期間内、例えば１日の時間推移に応じて時系列で変動するデータを解析する変動データ解析システムの提供。【解決手段】  （１）システム利用者が、システム利用者ＰＣ６より通信ネットワーク８を介してＬＣＭデータ解析サーバ５にアクセスして、対象物件２におけるＢＥＭＳデータのグラフ表示要求を送信する（○１）。（２）ＬＣＭデータ解析サーバ５は、ＬＣＭデータ蓄積サーバ２ｂにデータ抽出を要求する（○２）。（３）ＬＣＭデータ解析サーバ５は、ＬＣＭデータ蓄積サーバ２ｂから当該データを取得する。（○３）（４）ＬＣＭデータ解析サーバ５は、システム利用者ＰＣ６に該当のグラフ表示のデータを送信する（○４）。システム利用者ＰＣ６で編集、加工したデータをＬＣＭデータ解析サーバ５に登録する。【選択図】    図１
2006185226.tif 000002
【特許請求の範囲】
【請求項１】
一定期間内の時間推移に伴い時系列で変動するデータを蓄積するデータ蓄積サーバと、データ解析サーバと、利用者端末とが通信ネットワークで接続された変動データ解析システムであって、
前記利用者端末からの要求に応じて、前記データ蓄積サーバから所定のデータを取得して当該利用者端末の画面に表示し、利用者に予め設定されている権限に応じて画面上で前記データの表現方法について所要の編集、加工を行い、その結果を前記データ解析サーバに登録することを特徴とする、変動データ解析システム。
【請求項２】
前記利用者端末は、汎用の表計算ソフトにより前記データを解析して所要の編集、加工を行うことを特徴とする、請求項１に記載の変動データ解析システム。
【請求項３】
前記利用者端末から前記データ蓄積サーバに要求されるデータは、前記データ解析サーバによりグラフまたは帳票の形式で形成されており、前記利用者端末の画面上で前記グラフまたは帳票の形式のデータに対して種々の編集、加工を行うことを特徴とする、請求項１または請求項２に記載の変動データ解析システム。
【請求項４】
前記時系列で変動するデータを、日、週、月、年単位で編集、加工を行うことを特徴とする、請求項１ないし請求項３のいずれかに記載の変動データ解析システム。
【請求項５】
前記データ解析サーバにグラフまたは帳票の形式で登録されたデータを、他の利用者がその権限に応じて利用者端末で利用できることを特徴
とする、請求項１ないし請求項４のいずれかに記載の変動データ解析システム。
【請求項６】
前記時系列で変動するデータは、ＢＥＭＳに適用されることを特徴とする、請求項１ないし請求項５のいずれかに記載の変動データ解析システム。
【請求項７】
前記データ蓄積サーバはＬＣＭデータ蓄積サーバであり、前記データ解析サーバはＬＣＭデータ解析サーバであることを特徴とする、請求項６に記載の変動データ解析システム。
【請求項８】
前記ＬＣＭデータ蓄積サーバおよび前記利用者端末をそれぞれ複数設置して、前記通信回線に接続したことを特徴とする、請求項７に記載の変動データ解析システム。
【請求項９】
前記通信ネットワークは、インターネットまたはイントラネットであることを特徴とする、請求項１ないし請求項８のいずれかに記載の変動データ解析システム。
【請求項１０】
前記利用者に予め設定されている権限は、前記データの閲覧、編集、登録のいずれかまたはそれらすべてであることを特徴とする、請求項１ないし請求項９のいずれかに記載の変動データ解析システム。
【発明の詳細な説明】
【技術分野】
【０００１】
本発明は、業務用ビルの室内環境（温度、電力消費など）のように、一定の期間内、例えば１日の時間推移に応じて時系列で変動するデータを解析し、編集、登録する変動データ解析システムに関する。
【背景技術】
【０００２】
データ解析を行う際に、例えば、ＢＥＭＳ(Building Energy and Environmental Management System、ビル・環境・エネルギー管理システム)のように、１日の時間推移に伴い時系列で変動するデータの解析が必要になる場合がある。ＢＥＭＳは、業務用ビル等において、室内環境・エネルギー使用状況を把握し、かつ、室内環境に応じた機器又は設備等の運転管理によってエネルギー消費量の削減を図るためのシステムである。
【０００３】
ＢＥＭＳは、主として次のような機能を有している。（１）エネルギー消費傾向の把握(エネルギー原単位、用途別エネルギー消費割合など)。（２）省エネルギー効果の確認、無駄の検知。（３）室内環境状況の確認(省エネと室内環境のバランス評価)。このようなＢＥＭＳを適用したシステムが、特許文献１に開示されている。
【０００４】
【特許文献１】特開２００３−５８６１４号
【発明の開示】
【発明が解決しようとする課題】
【０００５】
ＢＥＭＳにおける上記機能を実現する各種データの表現方法については、事前に表やグラフの仕様をまとめ、この仕様に基づきソフトウェアを作り込み、建物に収める手法が一般的である。このように、特許文献１に記載のシステムは、データの表現方法に関して、完成後の編集や変更に対する自由度が無いという問題がある。データの表現方法の変更には、専門業者によるソフトウェアの書き換えが必要となり時間と費用を要するため、実運用に即して柔軟に容易に編集することが困難であった。
【０００６】
近年の環境や省エネなどに対する関心の高まりに伴い、一定期間内の時間推移に伴い時系列で変動するデータについて、データ解析評価用の画面処理に対する変更・追加要求を迅速に、しかも低コストで反映可能なシステムの実現がシステム利用者から求められている。しかしながら、特許文献１に記載のシステムでは、このような要請には対応できないという問題があった。
【０００７】
本発明は、このような問題に鑑みてなされたものであり、データ解析評価用の画面処理に対する変更・追加要求を迅速に、しかも低コストで反映可能な変動データ解析システムの提供を目的とする。
【課題を解決するための手段】
【０００８】
このような目的を達成するために、本発明の実施形態に係る変動データ解析システムは、一定期間内の時間推移に伴い時系列で変動するデータを蓄積するデータ蓄積サーバと、データ解析サーバと、利用者端末とが通信ネットワークで接続された変動データ解析システムであって、
前記利用者端末からの要求に応じて、前記データ蓄積サーバから所定のデータを取得して当該利用者端末の画面に表示し、利用者に予め設定されている権限に応じて画面上で前記データの表現方法について所要の編集、加工を行い、その結果を前記データ解析サーバに登録することを特徴とする。
【０００９】
また、本発明の変動データ解析システムは、前記利用者端末は、汎用の表計算ソフトにより前記データを解析して所要の編集、加工を行うことを特徴とする。
【００１０】
また、本発明の変動データ解析システムは、前記データ解析サーバにより前記利用者端末から前記データ蓄積サーバに要求されるデータは、グラフまたは帳票の形式で形成されており、前記利用者端末の画面上で前記グラフまたは帳票の形式のデータに対して種々の編集、加工を行うことを特徴とする。
【００１１】
また、本発明の変動データ解析システムは、前記時系列で変動するデータを、日、週、月、年単位で編集、加工を行うことを特徴とする。
【００１２】
また、本発明の変動データ解析システムは、前記データ解析サーバにグラフまたは帳票の形式で登録されたデータを、他の利用者がその権限に応じて利用者端末で利用できることを特徴とする。
【００１３】
また、本発明の変動データ解析システムは、前記時系列で変動するデータは、ＢＥＭＳに適用されることを特徴とする。
【００１４】
また、本発明の変動データ解析システムは、前記データ蓄積サーバはＬＣＭデータ蓄積サーバであり、前記データ解析サーバはＬＣＭデータ解析サーバであることを特徴とする。
【００１５】
また、本発明の変動データ解析システムは、前記ＬＣＭデータ蓄積サーバおよび前記利用者端末をそれぞれ複数設置して、前記通信回線に接続したことを特徴とする。
【００１６】
また、本発明の変動データ解析システムは、前記通信ネットワークは、インターネットまたはイントラネットであることを特徴とする、請求項１ないし請求項７のいずれかに記載の変動データ解析システム。
【００１７】
また、本発明の変動データ解析システムは、前記利用者に予め設定されている権限は、前記データの閲覧、編集、登録のいずれかまたはそれらすべてであることを特徴とする。
【発明の効果】
【００１８】
本発明においては、次のような格別な効果が得られる。（１）変動データの解析を必要とするシステム利用者(技術者、設計者、ビル管理者など)自らが、性能評価や運用評価に必要となるグラフのデザインを設定し、変動データ解析システムに登録できる。（２）システムコストの削減(画面作成費および画面追加変更に関わる費用削減)が図れる。（３）画面編集・追加作業の即時性が実現できる。（４）ユーザー編集機能により、使っているうちに実運用に合ったシステムへと発展できる。（５）上記により、本発明の変動データ解析システムをＢＥＭＳに適用した場合には、本来のＢＥＭＳ機能が十分に発揮され、室内環境の向上、省エネ実現に寄与することができる。
【発明を実施するための最良の形態】
【００１９】
以下、本発明の実施の形態について図により説明する。本発明の変動データ解析システムは、イントラネットやインターネットなどの通信ネットワークを介して、一定期間内の時間推移に伴い時系列で変動するデータ、例えば、複数建物の設備運転データや建物運用データの解析・評価を行なうことを目的とした情報システムを対象としている。
【００２０】
図１は、本発明の実施形態に係るシステム構成図であり、変動データ解析システム１をＢＥＭＳデータ解析に適用した例を示している。２〜４は、データ解析対象物件でこの例ではＡビル、Ｂビル、Ｃビルが対象物件である。各対象物件には、ビル管理システム２ａ〜４ａと、ＬＣＭ（Life Cycle Management）データ蓄積サーバ２ｂ〜４ｂが設けられている。ＬＣＭデータは、構造物の誕生から終焉までの運用管理コストなどを、計画的に管理しようとする手法に用いられるデータである。
【００２１】
ビル管理システム２ａ〜４ａは、各対象物件２ａ〜４ａの空調、電気、水道などの管理を行うシステムである。ＬＣＭデータ蓄積サーバ２ｂ〜４ｂは、ビル管理システム２ａ〜４ａが作動した際の各対象物件２ａ〜４ａのＢＡ（Building Automation）データを長期間保管する。このように、ＬＣＭデータ蓄積サーバ２ｂ〜４ｂは、対象物件である建物毎に設置され、設備運転データや施設運用データを長期間ＤＢ（Data Base）へ蓄積し管理する。また、ＬＣＭデータ蓄積サーバ２ｂ〜４ｂは、必要に応じて、定期的に統計処理や演算処理を行った結果を保存することも可能である。
【００２２】
ＬＣＭデータ解析サーバ５は、Ｗｅｂサーバをベースとして構成され、システム利用者に対してＷｅｂベースでのグラフや帳票の表示・編集・登録機能を実現するポータル（入口)サイトとして機能する。このように、ＬＣＭデータ解析サーバ５は、各対象物件の建物毎にＷｅｂ画面表示用ＤＢを管理し、利用者が登録・編集したグラフや帳票の書式設定などを保存する。システム利用者がＰＣにグラフや帳票を表示する際、実データはＬＣＭデータ蓄積サーバ５から収集する。６、７はシステム利用者ＰＣである。ＬＣＭデータ蓄積サーバ２ｂ〜４ｂ、ＬＣＭデータ解析サーバ５、システム利用者ＰＣ６、７は、通信ネットワーク（インターネット/イントラネット）８に接続されている。システム利用者は、インターネット／イントラネットへアクセスできる環境にて、Ｗｅｂブラウザを用いてＬＣＭデータ解析サーバ５へアクセスし、ユーザ認証後に権限により許可された操作が可能である。例えば、物件別にグラフや帳票の閲覧、編集、登録などの権限設定が可能である。これらの権限は、システム利用者に応じてその一部またはすべてを許可することができる。
【００２３】
図１において、システム利用者による変動データ解析システム１の利用例の具体的な形態について説明する。（１）システム利用者が、システム利用者ＰＣ６よりＬＣＭデータ解析サーバ５にアクセスして、対象物件２におけるＢＥＭＳデータのグラフ表示要求を送信する（図中の丸付き数字は変換上の理由で○１のように表示する。以下同じ）。（２）ＬＣＭデータ解析サーバ５は、ＬＣＭデータ蓄積サーバ２ｂにデータ抽出を要求する（○２）。（３）ＬＣＭデータ解析サーバ５は、ＬＣＭデータ蓄積サーバ２ｂから当該データを取得する（○３）。（４）ＬＣＭデータ解析サーバ５は、システム利用者ＰＣ６に該当のグラフ表示のデータを送信する（○４）。
【００２４】
このように、図１の例においては、インターネット/イントラネット上のシステム利用者ＰＣ６、７から、ＷｅｂブラウザにてＬＣＭデータ解析サーバ５ヘアクセスし、メニューから建物名を選択する。次に処理を実行するグラフや帳票名を選択する。また、年月日など時系列データの範囲を指定することで、当該グラフまたは帳票をＰＣに画面表示する。編集権限を有するユーザは、既存のグラフまたは帳票の編集および新規登録ができる。
【００２５】
図１に示された本システムの特長は、ＰＣに表示するグラフファイルや帳票ファイルをＷｅｂブラウザ上で、ユーザが自由に編集・加工して再登録できる点である。登録したグラフファイルや帳票ファイルのフォーマットは、ＬＣＭデータ解析サーバ５ヘ登録することにより他のユーザも利用可能である。また、日付(年、月、週、日)を変更するだけで、当該日付におけるデータを編集済みのフォーマットで表示することができる。
【００２６】
グラフや帳票は、汎用表計算ソフトを用いて作成しているため、プログラミングの知識が不要で編集は容易である。編集の終わったファイルをＬＣＭデータ解析サーバ５ヘアツプロードすることで更新作業は完了する。これら一連の作業は、全てＷｅｂブラウザ上で行なえるため、ユーザ側端末には専用ソフトが不要である。このため、システムを構築する際にコストがかからず操作が容易である。
【００２７】
図２は、図１に示した変動データ解析システム１における、ＬＣＭデータ蓄積サーバ２ｂ〜４ｂ、およびＬＣＭデータ解析サーバ５のソフトウェア概要を示す説明図である。本発明の実施形態であるソフトウェアは、グラフや表計算機能が優れ、データ解析の用途に標準的に利用されている汎用表計算ソフトを採用することで、システム利用者によるグラフ・帳票の書式編集を可能とした。また、これを表示・編集するためのユーザー・インタフェース環境として、インターネット閲覧ソフトであるＷｅｂブラウザを使用することで、システムへの接続性を良くしている。
【００２８】
次に、図２のソフトウェア構成について説明する。ＬＣＭデータ蓄積サーバ２ｂ〜４ｂは、ＢＡ履歴管理データベース１１を保有している。ＬＣＭデータ解析サーバ５は、データ抽出プログラム１２、ＷＥＢサーバ１３、汎用表計算ソフト１４、書式定義済みファイル１５を保有している。データ抽出プログラム１２は、グラフや帳票を表示する際に実行される。
【００２９】
編集済みファイルに指定されたデータのリストにより、データ抽出プログラム１２は、ＢＡ履歴管理データベース１１から指定期間のデータを抽出し、編集済みファイルのセルへの貼り付けを行う。このデータにリンクされたグラフが生成され、ＷＥＢブラウザへ表示される。また、データ抽出プログラム１２は、指定されたポイントの時系列データを抽出し、書式定義済みファイル１５のワークシートに埋め込む。
【００３０】
ＷＥＢサーバ１３は、システム利用者がグラフや帳票を表示・編集するためのユーザー・インタフェース環境となる。汎用表計算ソフト１４は、ＷＥＢブラウザ上に埋め込む形で表計算の機能を提供する。表形式のデータ管理機能とグラフ・帳票表示機能を主に利用する。書式定義済み(表計算)ファイル１５は、雛型ファイルと編集済みファイルで構成される。
【００３１】
雛型ファイルは、書式定義済み(表計算)ファイル１５の○１に示されているように、建物運用データの解析・評価に必要となるグラフ表現に合わせて、雛型となるグラフ・帳票のフォーマットをファイルとして多数用意されている。この雛型ファイルは、グラフ・帳票の新規作成時に利用され、必要に応じて編集・加工される。雛型ファイルには、折れ線、棒、積み上げ、複合、２軸利用など、利用が想定されている各種グラフ形式が雛型として用意されている。
【００３２】
雛型ファイルでは、取得したデータに演算処理を施すことも可能である。このような演算処理として、例えば取得した生データを画面に表示されたシート上の計算式で加工し、加工した結果をグラフにプロットするような利用方法が考えられる。雛型ファイルに格納されている雛型は、１５ａ、１５ｂに示すようにシートのデータとグラフがリンクしている。また、１５ｂに示されているように、軸や書式の編集、文字、図形の追記、編集が可能である。このようにして利用者が編集したファイルは、ＬＣＭデータ解析サーバ５に登録され、他の利用者もアクスセ可能となる。
【００３３】
編集済みファイルは、ワークシート、グラフ形式で上記雛型ファイルに編集・加工を施した後、グラフ化するデータのリストおよび編集・加工後のグラフ書式などは、名称を付けて編集済みファイルとして建物毎に登録され管理する。この編集済みファイルは、ＷＥＢブラウザ上へグラフや帳票を表示する際に呼び出される。編集済みファイル構成の例を○２に示す。
【００３４】
このように、書式定義済み(表計算)ファイル１５の利用において、利用者は任意の雛型ファイルを呼び出し、データ加工およびグラフ書式などをＰＣの画面上で自由に編集することができる。また、編集済みファイルとして、ＬＣＭデータ解析サーバ５に登録することができる。
【００３５】
次に、図２の動作概要について説明する。グラフ・帳票表示・登録・削除などの利用者ＰＣからの各種処理要求は、全てＬＣＭデータ解析サーバ５上で実行され、結果のみ利用者ＰＣのＷＥＢブラウザ上へ表示される。また、編集済みファイルは汎用表計算形式であるため、ダウンロードしてデータその物を利用することも可能である。
【００３６】
図３は、本発明の実施形態において、システム利用者ＰＣで使用されるソフトウェアのメニュー一覧を示す説明図である。図３において、1.グラフ設定モードは、グラフの新規登録と変更を行なう編集モードである。「設定ファイル一覧表示」は、設定ファイル名一覧表示(編集対象選択用)、グループ名称編集、設定ファイル名称編集を行う。
【００３７】
「グラフ設定機能」は、（ａ）新規作成で、グループ指定と名称入力、開始日付指定、グラフ種類選択とグラフテンプレート選択、グラフ表示形式選択(表計算またはＷｅｂ)、タグ(ポイントデータ名称)選択、を行う。タグ(ポイントデータ名称)選択では、キーワード検索を行う。さらに、（ｂ）設定変更、（ｃ）コピー（別名保存)、（ｄ）表計算ファイルのダウンロード、を行う。「グラフ作成」は、グラフ表示、表計算の標準機能を使い編集、編集済みファイルのアップロード、を行う。
【００３８】
２．描画モードは、登録済みグラフを表示する閲覧モードである。「設定ファイル一覧表示」では、設定ファイル名一覧表示(編集対象選択用)を行う。「グラフ作成」では、開始日付指定、表計算ファイルのダウンロード、グラフ表示、を行う。グラフ表示は、開始日付変更(1日前へ/後へなど)の処理を行う。
【００３９】
３．バッチ入力は、シミュレーションデータなどの一括入力機能である。入力されるのは、「建物名称選択」、「投入ファイル名称指定(参照選択)である。４．メンテナンスは、システム管理機能である。「ユーザーデータ」は、新規登録と編集、権限レベル設定と変更、操作対象建物名設定を行う。「建物ＤＢサーバデータ」は、新規登録と編集である。「テンプレートデータ」は、新規登録と編集である。
【００４０】
図４〜図１５は、本発明の実施形態を示す説明図であり、システム利用者ＰＣの画面に表示される画像が示されている。図４は、システム利用者の操作に基づく画像表示を一連のフローで示している。図４の丸付き数字１〜１０は、図５〜図１５の画像表示の丸付き数字と対応している。図５（○１）は、本発明の実施形態で使用する「ＢＡ−Ｇｒａｐｈｙｚａｒ」というソフトを起動した際のログイン画面である。ユーザ名、パスワードを入力してログインする。
【００４１】
図６（○２）は、メニュー画面である。「グラフ設定モード」では、グラフの新規登録・編集を行う。「描画モード」では、登録済みグラフの表示のみを行う。「バッチ入力」では、シミュレーションデータなどの登録を行う。「メンテナンス」では、システム管理を行う。図７（○３）〜図１２（○７）は、特別に権限を与えられた利用者のみが利用できるグラフ設定モード画面である。以下、これらのグラフ設定モード画面を説明する。
【００４２】
図７（○３）は、グラフ形式・データ選択画面である。この画面では、（１）グラフ種類を指定する。この処理では、（ａ）「横軸範囲の選択」で、日、週、月、年の時系列を選択する。（ｂ）「グラフ種類の選択」で、折れ線、棒、積み上げ、などを選択する。（ｃ）「テンプレート」を選択する。（２）表示したいデータ（タグ）を選択する。タグの選択は、タグＮｏを選択することにより、タグＮｏに該当するタグ名と説明の項目が選択される。
【００４３】
図８は、図７の左側欄に表示されている「設定グラフ名称一覧」の例を示す説明図である。「建物名」の欄には、作成されたデータをグラフで表示する対象建物名を表示する。「グループ名  グラフ名称」の欄では、例えば、「室内環境  ４Ｆ室内温度と外気温（一日分）」、「在席情報  ５Ｆ在席人数と照明電力量（一日分）」、「電力使用量  本館受電電力量（一年分）」、「上水使用量  本館上水使用量―実測とシミュレーション値（一年分）」などが表示される。
【００４４】
図９（○４）は、グラフ編集（データ演算・加工可）画面である。この画面は、グラフテンプレートにデータをプロットした初期の状態を示している。このように表示されたグラフを適宜編集して、視覚的に分かりやすい形態で加工することができる。図１０（○５）は、登録（アップロード）画面である。図１０は、図９の画面でグラフ編集した例が示されている。この例では、文字の大きさ、色、フォントの修正、折れ線の太さ、色の変更、背景の変更を行い、設定温度の値（２７℃）を線と文字で追記している。図１０では、編集後の表計算ファイルをＬＣＭデータ解析サーバへ登録して処理を完了させる。以後このグラフ書式がＬＣＭデータ解析サーバに保存され、他のユーザも閲覧できる。
【００４５】
図１１（○６）は、データ（タグ）選択画面である。この画面は、表示したいデータ（タグ）を検索して選択する。例えば、属性「温度（ｔ＝）」、タグ名「ＡＨＵ」、説明「４Ｆ」を選択すると、「０１−Ａ−ＡＨＵ４０１Ａ＿Ｌ０１−ＳＴＲ−ＰＶｔ＝ｎ」・・・４ＦＬスラブ下表面温度―１（ＳＥ）」、のように、タグ名「ＡＨＵ」、説明「４Ｆ」を含む５３タグが画面に表示される。
【００４６】
図１２（○７）は、データ加工画面である。この画面では、データの演算・加工が必要な場合は、セルに計算式を記述できる。また、演算結果をグラフ化するように設定を変更する。この処理は、表計算ソフトの操作手順によるものとする。図１２の例では、２００４年１０月１日における、対象となる場所の温度測定結果のデータが１時間毎に示されている。
【００４７】
図１３（○８）〜図１５（○１０）は、グラフの新規登録、編集のように特別な権限が付与されていない利用者でも、一部の権限が許可されていれば利用できる描画モード画面である。以下、それぞれの描画モード画面について説明する。図１３（○８）は、グラフの選択画面である。この画面では、左側に表示されている登録グラフ名称から、表示したいグラフ名称をクリックして選択する。図１３の例では、「全館受電電力量」が選択されている。
【００４８】
図１４（○９）は、データ開始日の選択画面である。この画面では、グラフ化するデータの開始日を指定する。図１４の例では、２００４年１０月２１日が指定されている。図１５（○１０）は、グラフ表示画面である。この画面では、指定した開始日を基準としたデータをグラフ表示する。グラフ表示する際の横軸範囲は、日、週、月、年が指定できる。
【００４９】
利用者側の変動データ解析システムへの要求は、日々刻々と変化するため、従来の技術では決め打ち的に作成した画面も実運上有効に機能しなかったり、細かい点について改善要求が出てくる。この問題点の解決策として、本発明においては、前記のように、画面編集機能を有する変動データ解析システムを開発した。このシステムは、特にＢＥＭＳ解析システムに適用した場合には、建物管理者、建物設計者本人が容易に表示画面(帳票、グラフ)を作成できる。このため、実際の運用に必要な運用データ評価や性能評価のための画面を、コストや時間を掛けずに作り込み可能な、柔軟性の高いシステムを構成することができる。
【００５０】
以上、本発明の実施形態について、業務用ビルの室内環境（温度、電力消費など）のようなＢＥＭＳを対象に説明した。本発明は、このようなＢＥＭＳには限定されることなく、一定期間内、例えば１日の時間推移に応じて時系列で変動するデータ、例えば室外の温度、風速、ダム水位などのようなデータを解析し、編集、加工する際に、一般的に適用できる。また、一定期間内において変動するデータを、１日を最小の期間として解析する例について説明したが、例えば、１時間を最小の期間として設定することも可能である。このように、データ変動を解析する最小期間は、必要に応じて任意に設定できる。
【産業上の利用可能性】
【００５１】
以上説明したように、本発明によれば、一定の期間内、例えば１日の時間推移に応じて時系列で変動するデータを解析し、編集、登録する、変動データ解析システムを提供することができる。
【図面の簡単な説明】
【００５２】
【図１】本発明の実施形態に係るシステム構成図である。
【図２】本発明の実施形態に係るソフトウェア構成の説明図である。
【図３】本発明の実施形態に係るメニュー一覧の説明図である。
【図４】本発明の実施形態に係る説明図である。
【図５】本発明の実施形態に係る説明図である。
【図６】本発明の実施形態に係る説明図である。
【図７】本発明の実施形態に係る説明図である。
【図８】本発明の実施形態に係る説明図である。
【図９】本発明の実施形態に係る説明図である。
【図１０】本発明の実施形態に係る説明図である。
【図１１】本発明の実施形態に係る説明図である。
【図１２】本発明の実施形態に係る説明図である。
【図１３】本発明の実施形態に係る説明図である。
【図１４】本発明の実施形態に係る説明図である。
【図１５】本発明の実施形態に係る説明図である。
【符号の説明】
【００５３】
１・・・変動データ解析システム、２〜４・・・変動データ解析対象ビル、５・・・ＬＣＭデータ解析サーバ、６、７・・・システム利用者ＰＣ、８・・・通信ネットワーク（インターネット／イントラネット）、１１・・・ＢＡ履歴管理データベース、１２・・・データ抽出プログラム、１３・・・ＷＥＢ、１４・・・表計算、１５・・・書式定義済みファイル
【図１】
2006185226.tif 000003
【図２】
2006185226.tif 000004
【図３】
2006185226.tif 000005
【図４】
2006185226.tif 000006
【図５】
2006185226.tif 000007
【図６】
2006185226.tif 000008
【図７】
2006185226.tif 000009
【図８】
2006185226.tif 000010
【図９】
2006185226.tif 000011
【図１０】
2006185226.tif 000012
【図１１】
2006185226.tif 000013
【図１２】
2006185226.tif 000014
【図１３】
2006185226.tif 000015
【図１４】
2006185226.tif 000016
【図１５】
2006185226.tif 000017